(57)【要約】【課題】レンズを手動および電動で操作可能なレンズ駆動装置において、手動および電動の接続部を同一ユニットでかつ同軸上に接続可能に内蔵化することによって、レンズの小型化とコントローラの接続のしやすさを両立させた駆動装置を提供すること。【解決手段】レンズを手動あるいは電動で操作可能なレンズの駆動装置において、電動用コントローラとの接続部に、手動用コントローラの接続部を有していることを特徴とする構成とした。【選択図】  図１
2013156606.tif 000002
【特許請求の範囲】
【請求項１】
レンズを手動あるいは電動で操作可能なレンズの駆動装置において、電動用コントローラとの接続部に、手動用コントローラの接続部を有していることを特徴とするレンズ駆動装置。
【請求項２】
前記手動用のコントローラの接続部は、電動用コントローラの接続部のガード手段を有していることを特徴とする請求項１に記載のレンズ駆動装置。
【発明の詳細な説明】
【技術分野】
【０００１】
本発明は、レンズの駆動装置に係わり、特に、テレビカメラ用レンズ装置のフォーカスやズームの操作を電動または手動で操作するレンズ駆動装置に関するものである。
【背景技術】
【０００２】
従来、放送用のテレビカメラに使用されるレンズ装置のズーム、フォーカス駆動装置は、手動用または電動用駆動モジュールを接続することによって、用途に応じて切り替えて使用することが可能な構造になっている。
【０００３】
手動用モジュールは、メカニカルコントローラと連結するフレキシブルケーブルを接続することで駆動し、電動用モジュールは、モータが内蔵され、サーボコントローラからのコントロール信号によって制御しながら駆動する。
【０００４】
特許文献１では、手動用の動力伝達部材の接続部に電動用のモータを内蔵し、手動用の伝達部材が接続されるとモータとの連結が解除される機構を有することによって電動と手動を切り替えて操作可能としている。
【０００５】
特許文献２では、手動用コントローラーの出力部に電動用の検出部を設けることによって、電動でありながら手動操作感覚で操作可能なコントローラとなっている。
【先行技術文献】
【特許文献】
【０００６】
【特許文献１】特開平３−５７１２号公報
【特許文献２】特許第０３９４１１７２号明細書
【発明の概要】
【発明が解決しようとする課題】
【０００７】
しかしながら、従来のようなモジュールシステムの場合、モジュールの取り付け機構や、手動モジュールの自重防止のロック機構を設けたり、電動用接続コネクタを別途設けるなど、構造が複雑で大型化してしまう。
【０００８】
また、上述の特許文献1に開示された従来技術では、モータを連結したり、解除したりする機構が複雑で、大型化してしまう。
【０００９】
特許文献２に開示された従来技術では、手動の操作方式でサーボ駆動するので、操作に対するレンズ駆動の追従性に難があり、モータの大型化による消費電力アップとともに装置の大型化にもつながってしまう。
【００１０】
そこで、本発明の目的は、レンズを手動および電動で操作可能なレンズ駆動装置において、手動および電動の接続部を集約して内蔵化することによって、レンズの小型化とコントローラの接続のしやすさを両立させた駆動装置を提供することである。
【課題を解決するための手段】
【００１１】
上記目的を達成するために、本発明は、レンズを手動および電動で操作可能なレンズ駆動装置において、電動用コントローラとの接続部に、手動用コントローラの接続部を有していることを特徴とする。
【発明の効果】
【００１２】
本発明によれば、レンズを手動および電動で操作可能なレンズ駆動装置において、手動および電動の接続部を集約して内蔵化することによって、レンズの小型化とコントローラの接続のしやすさを両立させた駆動装置を提供することができる。
【図面の簡単な説明】
【００１３】
【図１】実施例１におけるコントローラー接続部詳細図（電動時）
【図２】本発明の実施例１であるレンズの駆動装置の全体図
【図３】実施例１におけるコントローラー接続部詳細図（手動時）
【図４】本発明の実施例２であるコントローラー接続部詳細図（電動時）
【発明を実施するための形態】
【００１４】
以下に、本発明の好ましい実施の形態を、添付の図面に基づいて詳細に説明する。図１は、本発明の実施形態にかかわるコントローラー接続部詳細図（電動時）である。
【００１５】
［実施例１］
以下、図1から図３を参照して、本発明の第1の実施例による、フォーカス部の駆動装置の全体構造および手動時と電動時のケーブル接続状態の詳細構造について説明する。
【００１６】
図２において、１はレンズ本体、２はレンズ本体１のフォーカス群、３はフォーカス群２の駆動コロで、レンズ本体１に固定されている。４はフォーカスレールで、駆動コロ３に沿ってフォーカス群２が直動する。
【００１７】
５、６はそれぞれ送りねじ（オス）、送りねじ（メス）、７はフォーカス群２と送りねじ（メス）６の連結軸、８は駆動装置のフォーカス駆動軸で、送りねじ（オス）５と一体になっている。
【００１８】
９はコントローラー接続ユニット、１０はモータユニット、１１はフォーカス駆動軸８の軸支え、１２はフォーカス駆動軸８とモータユニット１０の軸を繋ぐカップリングで、これらがレンズ本体１に固定され、連結されている。
【００１９】
１３はコントローラー接続ユニット９と連結された伝達ハスバギアで、フォーカス駆動軸８と一体になっている。
【００２０】
１４は手動コントローラー接続ケーブルユニットで、コントローラー接続ユニット９に固定されている。連結状態の詳細は後述する。
【００２１】
１５はカメラとの接続部となるレンズマウント、１６はレンズカバーで、コントローラー接続ユニット９周辺にはケーブルを通す空孔がある。
【００２２】
上記構成において、手動用コントローラー（不図示）を操作すると、手動コントローラー接続ケーブルユニット１４からコントローラー接続ユニット９、伝達ハスバギア１３を介してフォーカス駆動軸８に伝達される。
【００２３】
さらにフォーカス駆動軸８から送りねじ（オス）５，送りねじ（メス）６へ伝達され、最後に連結軸７を介してフォーカス群２を駆動する。
【００２４】
図１において、コントローラー接続ユニット９の電動時の詳細構造について説明する。
【００２５】
１７は台座で、ボルト１８によってレンズ本体１に固定されている。
【００２６】
１９は接続部本体で、ボルト２０によって台座１７に固定されている。２１はコネクタ固定台で、ビス２２によって接続部本体１９に固定されている。２３は電動コントローラー接続コネクタで、ビス２４によってコネクタ固定台２１に固定されている。
【００２７】
２５は電動コントローラー接続ケーブルで、電動コントローラー接続コネクタ２３に接続され、コントロール信号が送出される。
【００２８】
２６は手動コントローラー接続ケーブルユニット１４と連結する連結ハスバギアで、フォーカス駆動軸８と一体になっている伝達ハスバギア１３とかみ合っている。
【００２９】
２６ａは、手動コントローラ−接続ケーブルユニット１４との連結溝である。
【００３０】
２７、２８はベアリングで、接続部本体１９に組み込まれており、連結ハスバギア２６を保持して回転させている。
【００３１】
２９は手動コントローラー接続ケーブルユニット１４の固定ねじで、ビス３０で接続部本体１９に固定されている。
【００３２】
２９ａは電動コントローラー接続コネクタ２３のガード部である。３１は固定リングで、固定ねじ２９とともにベアリング２８を固定する。
【００３３】
上記構成において、電動コントローラー（不図示）よりフォーカスコントロール信号が送出されると、電動コントローラ接続ケーブル２５を介してレンズ本体に送られ、モータユニット１０が作動することによって、フォーカス群２が移動する。
【００３４】
この時、手動コントロール用の連結ハスバギア２６も回転しているが、空転状態になっている。
【００３５】
電動コントローラー接続ケーブル２５が外され、コントローラー接続部９に何も接続されていない場合、電動コントローラー接続コネクタ２３は、ガード部２９ａに保護されており周辺からの外乱による破損等を防いでいる。
【００３６】
なお、伝達ハスバギア１３は、展開図表示になっている。
【００３７】
図３において、コントローラー接続部９の手動時の詳細構造について説明する。
【００３８】
３２は手動コントローラー接続ケーブルユニット１４の連結ねじ部で、固定ねじ２９にねじ込んで、手動コントローラー接続ケーブルユニット１４を固定する。
【００３９】
３３は手動コントローラー接続ケーブルユニット１４の伝達ケーブル部、３２ａは連結ねじ部３２側にある抜けどめ突起部、３３ａは伝達ケーブル部３３側にある抜けどめ突起部、３３ｂは伝達ケーブル部３３の連結ピンである。
【００４０】
その他の符号に関しては、図１、図２の説明の通りである。
【００４１】
上記構成において、手動コントローラー（不図示）よりフォーカス操作が行われると、伝達ケーブル部３３より連結ハスバギア２６に操作力が伝達され、伝達ハスバギア１３を介してフォーカス群２と連結され、駆動される。
【００４２】
この時、モータユニット１０も連結状態にあるので、同時に回転している。
【００４３】
しかし、電動用コントローラーが接続されていないので、コントローラーとの通信が遮断されており、モータはオープン状態となっている。したがって、手動操作時には電気的な負荷がかからないようになっている。
【００４４】
もし、モータユニット１０にメカニカルな負荷をかけたくない場合や、コスト的な考慮をしたい場合などには、モータユニット１０を外すことも可能となっている。
【００４５】
本実施形態によれば、レンズを手動および電動で操作可能な駆動装置において、手動および電動の接続部を同一ユニットでかつ同軸上に接続可能に内蔵化することで、小型化とコントローラの接続のしやすさを両立した駆動装置を提供できるという効果がある。
【００４６】
また、手動用と電動用を同時に接続することができない構造になっているので、機構的な切り替え手段を必要とせず、より小型化が可能となる。
【００４７】
ここでは、フォーカスの駆動部について説明したが、ズームの駆動部に関しても、同様の効果を得ることができる。
【００４８】
［実施例２］
以下、図４を参照して、本発明の第２の実施例によるガード部について説明する。
【００４９】
図４において、３４は接続部本体で、ボルト２０によって台座１７に固定されている。
【００５０】
３５はコネクタガード、３４ａはコネクタガード３５の回転軸となる挿入孔で３６はコネクタガード３５の抜けどめリングである。３７はコネクタガード３５の固定つまみである。
【００５１】
その他の符号に関しては、実施例１の説明の通りである。
【００５２】
上記構成において、手動コントローラー接続ケーブルユニット１４、または電動用コントローラー接続ケーブル２５を接続していない場合、コネクタガード３５を矢印Ａの方向に向けた状態にする。
【００５３】
そして、固定つまみ３７でコネクタガード３５をロックすることで、固定ねじ２９をガードする。
【００５４】
手動コントローラー接続ケーブルユニット１４、または電動用コントローラー接続ケーブル２５のどちらかを接続するときは、コネクタガード３５を矢印Ｂの方向に向けた状態にする。
【００５５】
そして、固定つまみ３７でコネクタガード３５をロックすることで、固定ねじ２９のガードを解放し、前記手動コントローラー接続ケーブルユニット１４の接続が可能になる。
【００５６】
本実施形態によれば、電動コントローラー接続コネクタ２３だけでなく、手動用コントローラーの接続部もガードすることができるので、外乱に対してより安全性が増す効果がある。
【００５７】
また、実施例１と同様の効果がある。
【００５８】
以上、本発明の好ましい実施形態について説明したが、本発明はこれらの実施形態に限定されず、その要旨の範囲内で種々の変形及び変更が可能である。
【符号の説明】
【００５９】
1  レンズ本体
2  フォーカス群
3  駆動コロ
4  フォーカスレール
5  送りねじ（オス）
6  送りねじ（メス）
7  連結軸
8  フォーカス駆動軸
9  コントローラー接続ユニット
10  モータユニット
11  軸支え
12  カップリング
13  伝達ハスバギア
14  手動コントローラー接続ケーブルユニット
15  レンズマウント
16  レンズカバー
17  台座
18  ボルト
19  接続部本体
20  ボルト
21  コネクタ固定台
22  ビス
23  電動コントローラー接続コネクタ
24  ビス
25  電動コントローラー接続ケーブル
26  連結ハスバギア
26a  連結溝
27  ベアリング       
28  ベアリング
29  固定ねじ
29a  ガード部
30  ビス
31  固定リング
32  連結ねじ部
32a  抜けどめ突起部
33  伝達ケーブル部
33a  抜けどめ突起部
33b  連結ピン
34  接続部本体
34a  挿入孔
35  コネクタガード
36  抜けどめリング
37  固定つまみ
【図１】
2013156606.tif 000003
【図２】
2013156606.tif 000004
【図３】
2013156606.tif 000005
【図４】
2013156606.tif 000006